(57)【要約】【課題】プラグをコンセントから引き抜いた後、容易かつ迅速にコンセント近傍にコードの端部を保持可能で、さらに、直ぐにプラグをコンセントに差込可能な状態で、コードの端部を保持可能なコード端部保持具を提供する。【解決手段】プラグ10を最先端に有するコード１の端部11を保持する保持機構Ｚを有するケース体２と、コンセント８の差込孔81，81に挿入自在な２本の挿入ピン３，３とを、プラスチックにて一体成型した。【選択図】図１
0003173754.tif 000002
【実用新案登録請求の範囲】
【請求項１】
プラグ（10）を最先端に有するコード（１）の端部（11）を保持する保持機構（Ｚ）を有するケース体（２）と、コンセント（８）の差込孔（81）（81）に挿入自在な２本の挿入ピン（３）（３）とを、プラスチックにて一体成型したことを特徴とするコード端部保持具。
【請求項２】
プラグ（10）を最先端に有するコード（１）の端部（11）を保持する蛇行保持路（20）を有するケース体（２）と、コンセント（８）の差込孔（81）（81）に挿入自在な２本の挿入ピン（３）（３）とを、プラスチックにて一体成型したことを特徴とするコード端部保持具。
【考案の詳細な説明】
【技術分野】
【０００１】
本考案は、コード端部保持具に関する。
【背景技術】
【０００２】
従来、電化製品等の電源コードを、コンセントから抜いた場合は、細帯状の結束バンドで電源コードを束ねて、電化製品本体に結束バンドを固定して、電源コードを保持していた（例えば、特許文献１参照）。
【先行技術文献】
【特許文献】
【０００３】
【特許文献１】実公平４−７７２８２号公報
【考案の概要】
【考案が解決しようとする課題】
【０００４】
しかし、ＴＶ等の電化製品や机等の家具の裏にある手の届きにくいコンセントに、再びコードを這わせてプラグを差し込むには手間と時間がかかるといった問題があった。
また、節電等の目的で一時的にコンセントからプラグを抜いて、抜いたままのコードを放置した場合も、再び差し込む際に、プラグを把持しにくいといった問題や、他のコード類に埋もれたり絡まるといった問題が発生して、直ぐにプラグを差し込めなかった。
【０００５】
そこで、本考案は、プラグをコンセントから引き抜いた後、容易かつ迅速にコンセント近傍にコードの端部を保持可能で、さらに、直ぐにプラグをコンセントに差込可能な状態で、コードの端部を保持可能なコード端部保持具の提供を目的とする。
【課題を解決するための手段】
【０００６】
上記目的を達成するために、本考案のコード端部保持具は、プラグを最先端に有するコードの端部を保持する保持機構を有するケース体と、コンセントの差込孔に挿入自在な２本の挿入ピンとを、プラスチックにて一体成型したものである。
また、プラグを最先端に有するコードの端部を保持する蛇行保持路を有するケース体と、コンセントの差込孔に挿入自在な２本の挿入ピンとを、プラスチックにて一体成型したものである。
【考案の効果】
【０００７】
本考案によれば、コンセント近傍に、抜いたプラグのコードの端部を保持でき、コンセントが手の届きにくい箇所であっても容易かつ迅速にプラグを差し込むことができる。抜いたプラグが他のコード類に埋もれたり絡まったりせず、直ぐにプラグ判別できると共に容易に把持でき、迅速にプラグを差し込むことができる。
【図面の簡単な説明】
【０００８】
【図１】本考案の実施の一形態を示し、使用状態の一例を示す斜視図である。
【図２】実施の一形態を示す背面斜視図である
【図３】実施の一形態を示す背面図である。
【図４】実施の一形態を示す側面図である。
【考案を実施するための形態】
【０００９】
以下、図示の実施形態に基づき本考案を詳説する。
本考案のコード端部保持具は、図１に示す実施形態に於て、プラグ（電源プラグ）10を最先端に有するコード（電源コード）１の端部11を保持する保持機構Ｚを有する正面視矩形状のケース体２と、コンセント８の一対差込孔81，81に挿入自在な帯板状の２本の挿入ピン３，３とを、プラスチック（絶縁性樹脂材）にて一体成型し、コンセント８の差込孔81，81に抜き差し自在に形成している。
【００１０】
ここで、説明を容易にするために、挿入ピン３，３が鉛直壁面に設けられたコンセント８の差込孔81，81に差し込まれた姿勢を基準姿勢として方向を説明する。具体的には、コンセント８の差込孔81，81の長手方向を上下方向と呼び、差込孔81の幅方向を左右方向と呼び、差込孔81から挿入ピン３を引き抜く方向を前方と呼び、差し込む方向を後方向と呼んで図示の実施形態を説明する。
【００１１】
図２乃至図４に於て、ケース体２は、水平面状の上下一方壁部21と、水平面状の上下他方壁部22と、垂直面状の表て壁部23と、を有し、背面側及び左右側面側が開口している横断面（側面視）コの字状である。
そして、表て壁部23の裏面23ａ側に、コード１の先端側の端部11（以下、コード端部11と呼ぶ場合もある）を保持する保持機構Ｚである蛇行保持路20を有している。
【００１２】
蛇行保持路20は、上下一方壁部21に設けられ、その左右一方側縁部からＵ字状に切欠形成された第１切欠部21ａを有している。また、上下他方壁部22に設けられ、その左右他方側縁部からＵ字状に切欠形成された第２切欠部22ａを有している。
【００１３】
また、蛇行保持路20は、第１切欠部21ａの近傍に、背面視（正面視）で上下一方壁部21と平行状に設けられ、上下一方壁部21と共働きしてコード軸心が左右方向に沿うようにコード１を保持する第１誘導壁部24を有している。
また、第２切欠部22ａの近傍に、背面視で上下他方壁部22と平行状に設けられ、上下他方壁部22と共働きしてコード軸心が左右方向に沿うようにコード１を保持する第２誘導壁部26を有している。
また、ケース体２の中央寄りに、背面視で上下一方壁部21及び上下他方壁部22に垂直状に設けられ、コード軸心が上下方向に沿うようにコード１を保持する左右一対の仕切壁部25，25と、を有している。
【００１４】
言い換えると、蛇行保持路20は、第１切欠部21ａと、上下一方壁部21と第１誘導壁部24の間と、左右一対の仕切壁部25，25の間と、第２誘導壁部26と上下他方壁部22の間と、第２切欠部22ａと、によって形成され、コード端部11を複数回弯曲乃至屈曲させて保持する横倒Ｓ字状通路乃至クランク型通路である。
【００１５】
第１誘導壁部24と仕切壁部25，25と第２誘導壁部26は、表て壁部23の裏面23ａから後方突出状に設けている。
そして、挿入ピン３は、仕切壁部25の後端面（図２に於て一点鎖線で示す仮想端面）から後方へ延伸状に突設されている。言い換えると、挿入ピン３，３を表て壁部23の裏面23ａから後方へ突設し、その一対の挿入ピン３，３の基部を、一対の仕切壁部25，25としているとも言える。即ち、背面視で、蛇行保持路20の一部は、挿入ピン３と挿入ピン３の間の空間を有効に利用して形成されている。
【００１６】
また、ケース体２は、上下一方壁部21の後端縁部かつ第１切欠部21ａ近傍から上下他方壁部22側へ突設され、第１切欠部21ａと第１誘導壁部24と上下一方壁部21とによって曲げられたコード１の第１曲り部18（図３参照）が、後方へ抜けるのを防止する第１脱落防止突片28を有している。
また、上下他方壁部22の後端縁部かつ第２切欠部22ａ近傍から上下一方壁部21側へ突設され、第２切欠部22ａと第２誘導壁部26と上下他方壁部22とによって曲げられたコード１の第２曲り部19（図３参照）が、後方へ抜けるのを防止する第２脱落防止突片29を有している。
【００１７】
次に、上述した本考案のコード端部保持具の使用方法（作用）について説明する。
コード１を、蛇行保持路20に接近させて嵌め込む（係合させる）。図３に二点鎖線で示すようにコード端部11が蛇行姿勢でケース体２に保持される。コード１の蛇行姿勢から復元しようする復元弾性力によって、蛇行保持路20を形成する各壁部とコード１の間の摩擦力が高まり、コード１に確実に取着する。また、第１脱落防止突片28と第２脱落防止突片29が後方へのコード１の脱落を防止する。また、左右側面側が開口状のため、表て壁部23を左右両側から指で摘みやすいと共に、指が表て壁部23の裏面23ａに係止されコンセント８に対する着脱操作を容易としている。
【００１８】
図１に於て、二点鎖線で示すコンセント８の差込孔81，81からプラグ10を引き抜いた場合に、プラグ10に代わって、挿入ピン３，３を差込孔81，81に差し込む。コード端部11及びプラグ10は、挿入ピン３を介してコンセント８に取り付けられたケース体２によって、コンセント８近傍に保持される。さらに、ケース体２によって差込孔81を施蓋状に保護でき、子供のイタズラ等による感電事故が防止される。
そして、再びプラグ10をコンセント８に差し込む場合は、ケース体２を把持して引いて、コンセント８から離脱させる。また、プラグ10を最先端に有するコード端部11はケース体２に保持されているので、ケース体２から直ぐにプラグ10に持ち替えられ、迅速にプラグ10を差し込める。
【００１９】
また、図示省略するが、コンセント８（１対の差込孔81，81）が複数箇所、相互に接近して配設されている場合は、プラグ10を１つのコンセント（１対の差込孔81，81）に差し込むと共に、一対の挿入ピン３，３を、（プラグ10が差し込まれているコンセント８近傍の）別のコンセント８に差し込む。
そして、コンセント８からプラグ10が引き抜かれると、プラグ10は別のコンセント８に挿入ピン３を介して取り付けられたケース体２によって、引き抜いたコンセント８近傍に保持される。
また、再びプラグ10をコンセント８に差し込む場合は、本考案のコード端部保持具を別のコンセント８から離脱させる必要はなく、差し込むべきコンセント８近傍に保持されている引き抜いたプラグ10を再び差し込むだけで良い。
【００２０】
なお、本考案は設計変更可能であって、保持機構Ｚは、コード１を弾性変形させて挟持状に保持するクリップ部を表て壁部23の裏面23ａに突設したものでも良い。或いは、背面視で挿入ピン３の周囲を囲むようループ状（円環状）保持路を設けても良い。また、ケース体２は、正面視で略長方形であるが、略楕円形（略長円形）とするも良い。
なお、上述の説明は、挿入ピン３，３が鉛直壁面に設けられたコンセント８の差込孔81，81に差し込まれた場合を基準姿勢として方向を説明している。したがって、方向を基に、使用状態の姿勢を限定するものではない。例えば、水平状の床面や天井面に設けられたコンセント８にも使用される。
【００２１】
以上のように、本考案のコード端部保持具は、プラグ10を最先端に有するコード１の端部11を保持する保持機構Ｚを有するケース体２と、コンセント８の差込孔81，81に挿入自在な２本の挿入ピン３，３とを、プラスチックにて一体成型したので、コンセント８近傍に、抜いたプラグ10のコード１の端部11を保持でき、再び使用する際に、コンセント８が手の届きにくい箇所であっても容易かつ迅速にプラグ10を差し込むことができる。抜いたプラグ10が他のコード類に埋もれたり絡まったりせず、直ぐに判別できると共に把持でき、迅速にプラグ10を差し込むことができる。また、樹脂成型金型によって製造を容易に行なうことができる。
【００２２】
また、プラグ10を最先端に有するコード１の端部11を保持する蛇行保持路20を有するケース体２と、コンセント８の差込孔81，81に挿入自在な２本の挿入ピン３，３とを、プラスチックにて一体成型したので、コンセント８近傍に、抜いたプラグ10のコード１の端部11を保持でき、再び使用する際に、コンセント８が手の届きにくい箇所であっても容易かつ迅速にプラグ10を差し込むことができる。抜いたプラグ10が他のコード類に埋もれたり絡まったりせず、直ぐに判別できると共に把持でき、迅速にプラグ10を差し込むことができる。また、樹脂成型金型によって製造を容易に行なうことができる。コード１の端部11への取付をより迅速かつ容易に行なうことができる。
【符号の説明】
【００２３】
１  コード
２  ケース体
３  挿入ピン
８  コンセント
10  プラグ
11  端部
20  蛇行保持路
81  差込孔
Ｚ  保持機構
【図１】
0003173754.tif 000003
【図２】
0003173754.tif 000004
【図３】
0003173754.tif 000005
【図４】
0003173754.tif 000006